(57)【要約】【課題】  成形によってフレーム部材が反った場合でも、転写紙に対する印字位置のずれの少ない品質の安定した画像読取装置を備えた画像形成装置を提供すること。【解決手段】  画像読取装置１０のフレーム内枠に設けられた第１基準１１０Ａを、位置合わせ角１２から該長辺に沿って、その中途までの部分に設け、該長辺のその他の部分は画像領域外に逃している。さらに、第１基準１１０Ａの長さを、位置合わせ角１２から長辺の長さの１／２以下となるように設ける。【選択図】図２
2008135872.tif 000002
【特許請求の範囲】
【請求項１】
原稿の画像を取得する画像読取装置を備えた画像形成装置であって、
前記画像読取装置は、画像を読み取るための画像領域を構成するコンタクトガラスと、前記コンタクトガラスの周囲を覆う矩形枠状のフレーム部材とを備え、
前記フレーム部材は、前記フレーム部材の内枠の一角に原稿の載置位置の基点となる位置合わせ角を有し、
前記フレーム部材の内枠の４辺のうち、前記位置合わせ角を構成する２辺は、原稿の載置位置を決定する第１基準及び第２基準を夫々有し、
前記第１基準は、前記位置合わせ角から前記第１基準を有する辺に沿って、その中途までの部分に設けられ、該辺のその他の部分は前記画像領域外に逃されていることを特徴とする画像形成装置。
【請求項２】
前記第１基準の辺方向の長さは、前記第１基準が設けられた辺の長さの１／２以下であることを特徴とする請求項１に記載の画像形成装置。
【発明の詳細な説明】
【技術分野】
【０００１】
本発明は、画像情報を読み取る画像読取装置を備えた画像形成装置に関する。
【背景技術】
【０００２】
原稿の画像を読み取る画像読取装置を備えた画像形成装置に関する発明は種々開示されている。一般に、画像を読み取る方式として、画像読取装置に自動原稿搬送装置を取り付け、流し読み用コンタクトガラス上に原稿を一定速度で移動させながら原稿の画像を読み取る「流し読み」を行う方式と、画像読取装置本体の上面に設けられた透明なコンタクトガラス上に原稿を載置し、読取光学系を画像読取装置内の所定の位置に移動、固定させ、画像を読み取る方式とがある。
【０００３】
後者の読取方式の場合、原稿をコンタクトガラス上の所定位置に正確に載置することが重要となる。載置位置が不正確であると、印字位置がずれてしまうからである。原稿の位置決めに関しては、例えば、文献１では、原稿載置台の押圧部に沿って設けられた原稿指標が開示されている。原稿指標に原稿を当接させることによって、原稿を正確に載置することができる。この原稿指標は、原稿載置台に付設されるか、又は外装カバーの押圧部に設けられる。
【０００４】
また、文献２の発明では、原稿の位置決めにはスケールが用いられている。スケールに原稿を当接させることで、位置決めを行っている。このスケールはスケール本体に設けられ、透明ガラスにより形成された原稿台の辺縁に沿って配置されている。
【０００５】
また、文献３の発明では、原稿の位置決めには原稿スケールが用いられている。原稿スケールに原稿を突き当てて当接させることで位置決めを行っている。この原稿スケールは、コンタクトガラスの上面の一部を覆う部材の一部として構成されている。
【０００６】
上記のとおり、従来から原稿の位置決めは、コンタクトガラス及びこの端縁部分を覆う部材等が関係している。コンタクトガラスを覆う部材は、コンタクトガラス表面の一定範囲を露出させるために、中心部分が空洞となっており、全体として、矩形のフレーム形状となっている。このフレーム形状のフレーム部材は、一般に、文献４に示すように、射出成形による一体成形にて製造される。
【０００７】
しかしながら、フレーム部材が射出成形にて成形される場合、その中心部分の空洞が影響し、フレーム部材の内枠等に反り等の変形が発生する。反り等の変形が生じれば、原稿の位置決めの基準となる部材を所定の位置に正確に設けることが困難となる。この結果、原稿の位置決めがうまく行えず、転写紙に対する印字位置がずれるという問題が生じていた。
【０００８】
図４は、成形による反りが生じたフレーム部材を用いた従来の画像読取装置の平面図である。画像読取装置である読込みスキャナ４０は、フレーム部材である樹脂フレーム４１及びコンタクトガラス４３を備える。コンタクトガラス４３上には、原稿２０が載置されている。樹脂フレーム４１の内枠の一角には、原稿２０の載置位置の基点となる位置合わせ角１２が設けられる。図に示すとおり、樹脂フレーム４１の内枠を構成する長辺の一方に大きな反りが生じている。このように、反りが生じた樹脂フレーム４１を備えた読込スキャナ４０において、原稿２０を正確な位置に載置しようとすると、樹脂フレーム４１と原稿２０との間に、大きな隙間５０が生じる。生じる反りのピークは、通常、辺の半分の長さ付近にある。すなわち、長辺の長さをＬとした場合、１／２Ｌ付近で生じる。このような反りができた場合において、原稿の位置決め基準を内枠の端縁に沿って設けたり、内枠の辺をそのまま位置決め基準としたりすると、原稿２０が載置される位置は、正確な位置から隙間５０の分だけずれることになる。これに伴って、印字位置にずれが生じる。特に、画像形成装置のソーター機能を用いて原稿を転写する場合、原稿２０の搬送に勢いがあるため、樹脂フレーム４１に依存した位置決めでは、隙間５０に原稿２０の端が入り込むこともあり、大きな印字位置のずれを引き起こすことになる。成形による反りは一定ではないので、各フレーム部材の形状も一定とならない。このことから、画像読取装置間の品質は一定とならず、画像形成装置としての品質も安定しない。品質を安定させるためには、成形後のフレーム部材を検品し、位置決め基準をフレーム部材ごとに調整する等の処理が必要となる。
【０００９】
【特許文献１】特開平２−２８７５３０号公報
【特許文献２】特開２００３−１４０２７８号公報
【特許文献３】特開２００５−４９７３７号公報
【特許文献４】特開平７−３０７８４３号公報
【発明の開示】
【発明が解決しようとする課題】
【００１０】
本発明は、このような事情を鑑みてなされ、成形によってフレーム部材が反った場合でも、転写紙に対する印字位置のずれの少ない品質の安定した画像読取装置を備えた画像形成装置を提供するものである。
【課題を解決するための手段】
【００１１】
請求項１に係る発明は、原稿の画像を取得する画像読取装置を備えた画像形成装置であって、前記画像読取装置は、画像を読み取るための画像領域を構成するコンタクトガラスと、前記コンタクトガラスの周囲を覆う矩形枠状のフレーム部材とを備え、前記フレーム部材は、前記フレーム部材の内枠の一角に原稿の載置位置の基点となる位置合わせ角を有し、前記フレーム部材の内枠の４辺のうち、前記位置合わせ角を構成する２辺は、原稿の載置位置を決定する第１基準及び第２基準を夫々有し、前記第１基準は、前記位置合わせ角から前記第１基準を有する辺に沿って、その中途までの部分に設けられ、該辺のその他の部分は前記画像領域外に逃されていることを特徴とする画像形成装置に関する。
【００１２】
請求項２に係る発明は、前記第１基準の辺方向の長さは、前記第１基準が設けられた辺の長さの１／２以下であることを特徴とする請求項１に記載の画像形成装置に関する。
【発明の効果】
【００１３】
請求項１に係る発明によれば、原稿の載置位置を決定する第１基準が、該第１基準を有する辺に沿って、その中途までの部分に設けられるとともに、該第１基準が設けられていない辺のその他の部分は画像領域外に逃されており、該辺の全体を位置決めの基準としないので、成形で反り等の変形が生じたとしても、反りの影響を全面的に受けない。このように、反りの影響が少ない状況下で位置決めを行えるので、原稿の載置位置のずれを少なくすることができ、その結果、印字位置のずれを少なくすることができる。これによって、フレーム部材の辺をそのまま、位置決め基準として用いることができる。また、この場合、フレーム部材ごとに位置決め基準を調整する必要もなく、画像読取装置の品質も安定する。これによって、印字位置のずれの少ない品質の安定した画像形成装置を提供することができる。
【００１４】
請求項２に係る発明によれば、第１基準の長さの上限を辺の長さの１／２の長さ以下とすることで、反りのピークとなる部分を位置決めの基準として用いることを避けることができ、反りの影響を受けにくくするので、印字位置のずれも大幅に少なくすることができる。したがって、画像形成装置の品質をさらに安定させることができる。
【発明を実施するための最良の形態】
【００１５】
以下、本発明に係る画像形成装置の実施形態について、図面を参照しつつ説明する。図１は、本発明の実施形態に係る画像形成装置１の概略図である。図１に示すとおり、画像形成装置１は、原稿を搬送する原稿搬送装置２、原稿搬送装置２の下部に配設された画像読取装置である読込スキャナ１０、及び画像データを出力する画像出力装置３を備える。原稿の画像は、原稿搬送装置２を介して、又は原稿搬送装置２を介さず手動にて、読込スキャナ１０を構成するコンタクトガラスに載置され、画像の読取り、トナー像の定着等の工程を経た後、転写される。
【００１６】
図２は、本発明の実施形態に係る読込スキャナ１０の斜視図である。読取スキャナ１０は、フレーム部材である樹脂フレーム１１、コンタクトガラス１３、操作部１４を備える。樹脂フレーム１１は、射出成形にて製造される、矩形の内枠及び外枠からなる矩形枠状の部材である。樹脂フレーム１１の内枠の中心は空洞となっており、該空洞部分にコンタクトガラス１３の表面が露出するよう取り付けられる。内枠の一角には、原稿２０の載置位置の基点となる位置合わせ角１２が設けられる。樹脂フレーム１１の内枠を構成する４辺のうち、該位置合わせ角１２を構成する２辺には、原稿２０の載置位置を決定する、第１基準１１０Ａ及び第２基準１１０Ｂが夫々設けられる。本実施形態では、内枠の長辺側に第１基準１１０Ａを、短辺側に第２基準１１０Ｂを設けている。画像の転写には、操作部１４のボタンが用いられる。
【００１７】
図３は、本発明の実施形態に係る読込スキャナ１０の平面図である。読込スキャナ１０は、樹脂フレーム１１及びコンタクトガラス１３を備える。なお、操作部１４は図示していない。樹脂フレーム１１には、位置合わせ角１２、第１基準１１０Ａ及び第２基準１１０Ｂが設けられる。
【００１８】
図３のように、第１基準１１０Ａは、位置合わせ角１２から該長辺に沿って、その中途までの部分に設けられ、該長辺のその他の部分は画像領域外に逃されて成形されている。このように、長辺の全体を位置決めの基準として用いていないので、反りの影響を全面的に受けない。反りの影響が少ない状況下で位置決めを行えることにより、原稿の載置位置のずれを少なくすることができ、その結果、転写紙に対する印字位置のずれを少なくすることができる。これによって、樹脂フレーム１１の辺をそのまま、第１基準１１０Ａ及び第２基準１１０Ｂとして用いることができる。第２基準１１０Ｂについては、本実施形態では、短辺全体に設けている。短辺のほうが、長辺に比べ、内枠の中心の空洞部分と接する部分が少なく、成形による変形が起こりにくいためである。
【００１９】
原稿２０は、コンタクトガラス１３上で、位置合わせ角１２を基準として載置させる。このとき、第２基準１１０Ｂに原稿２０を当接させるとともに、第１基準１１０Ａにも原稿２０が接するようにする。本実施形態では、長辺が成形によって反っており、短辺と位置合わせ角において直角に交わっていないことから、原稿２０は第１基準１１０Ａの辺全体に当接していない。そのため、図３のとおり、原稿２０を正確な位置に載置すると、原稿２０と第１基準１１０Ａとの間にわずかな隙間３０が生じる。しかしながら、隙間３０の大きさは、図４における従来の場合（隙間５０）と比べると、格段に小さくなっている。これは、従来技術では、反りがピークとなる部分を含んだ長辺全体を位置決めに用いているのに対して、本発明では上述したように、長辺全体を位置決めに用いていないからである。隙間によって、載置位置のずれ、及び印字位置のずれが引き起こされるので、反りのピーク部分を避けて、位置決め基準を設けることが、印字位置のずれの効果的な防止策となる。
【００２０】
以上のように、第１基準１１０Ａの長さを位置合わせ角１２から該長辺の中途までの部分とすることで、印字位置のずれを少なくし、樹脂フレーム１１に反りがあっても、樹脂フレーム１１ごとに位置決めの基準を調整する必要はなく、印字位置のずれの少ない品質の安定した読込スキャナ１０を提供することができる。この結果、品質の安定した画像形成装置１を提供することができる。
【００２１】
ここで、従来から、射出成形による樹脂フレーム４１の反りのピークは、上述の図４のとおり、樹脂フレーム１１の内枠の長辺の長さの１／２付近に生じている。このため、本発明の第１基準１１０Ａの長さは、位置合わせ角１２から長辺の長さの１／２以下となるように設けることがさらに好ましい。こうすれば、反りのピークとなる部分を、位置決めの基準として用いることを避けることができる。これにより、反りの影響を受けにくくなるので、印字位置のずれも大幅に少なくすることができる。したがって、画像形成装置の品質をさらに安定させることができる。
【００２２】
一方、第１基準１１０Ａは、原稿２０の位置決めにある程度の長さを必要とするので、原稿２０を位置決めしづらくない長さ、例えば、３０ｍｍ以上とすることが好ましい。こうすれば、位置決めの基準としての機能を充分に発揮させることができる。
【００２３】
なお、本発明は、上記実施形態に限定されるものではなく、本発明の趣旨に基づいて各部の構造、形状等を適宜変更することが可能であり、それらを本発明の範囲から除外するものではない。
【００２４】
例えば、図２，３で示す実施形態においては、フレーム内枠の長辺に第１基準１１０Ａを設け、短辺に第２基準１１０Ｂを設けているが、この逆であってもよい。また、第１基準１１０Ａの長さのみを短くしているが、第２基準１１０Ｂの長さも第２基準１１０Ｂが設けられた辺の長さの１／２以下の長さにしても良い。また、第１基準１１０Ａ及び第２基準１１０Ｂを別部材として設け、これを樹脂フレーム１１に沿って取り付けても良い。
【産業上の利用可能性】
【００２５】
本発明は、透明なコンタクトガラス上に原稿を載置し、読取光学系を画像読取装置内の所定の位置に移動、固定させ、原稿の画像を読み取る画像読取装置を備えた各種画像形成装置に好適に適用できる。
【図面の簡単な説明】
【００２６】
【図１】本発明の実施形態に係る画像形成装置の概略図である。
【図２】本発明の実施形態に係る読込スキャナの斜視図である。
【図３】本発明の実施形態に係る読込スキャナの平面図である。
【図４】成形による反りが生じたフレーム部材を用いた従来の画像読取装置の平面図である。
【符号の説明】
【００２７】
１  画像形成装置
２  原稿搬送装置
３  画像出力装置
１０，４０  読込みスキャナ
１１，４１  樹脂フレーム
１２  位置合わせ角
１３，４３  コンタクトガラス
１４  操作部
２０  原稿
３０，５０  隙間
１１０Ａ  第１基準
１１０Ｂ  第２基準
【図１】
2008135872.tif 000003
【図２】
2008135872.tif 000004
【図３】
2008135872.tif 000005
【図４】
2008135872.tif 000006